(57)【特許請求の範囲】
【請求項１】
ロール紙の収納部を有する本体の前面部に配置され、下端部を中心に回転される開閉扉と、この開閉扉の上端部に支持されたプラテンと、当該開閉扉が閉じられたときに前記プラテンに対向する位置になるように、前記本体に支持された記録ヘッドと、前記開閉扉と共に前記ロール紙に当接して当該ロール紙を支持するもので、前記収納部の前記開閉扉側に下って傾斜している底部と、前記ロール紙の残量を検出する残量検出手段とを備え、
前記残量検出手段は、前記本体の側面に略水平方向に延びて前記収納部内に進退可能に配置されるもので、前記ロール紙の側端面に当接している状態から、当該ロール紙の外径が小さくなっていくと、前記ロール紙の側端面から外周方向へ外れて前記収納部内に突出する状態となる当接部材を有し、前記ロール紙の側端面の当接する前記当接部材の側面は、上面視で前記収納部の後方から前方に向かって当該当接部材の横幅が広がるように傾斜して形成され、前記ロール紙が前記収納部内を後方に移動することにより、前記当接部材の側面が前記ロール紙の側端面から外れた場合、前記ロール紙が前記底部上を転じて前記収納部内を前記開閉扉側へ移動する際に、前記当接部材を当該収納部外に押し退けて当該当接部材が前記ロール紙の側端面に再び当接可能としたことを特徴とする記録装置。
【請求項２】
前記当接部材は、前記開閉扉を開く場合、この開閉扉の開動作に応じて収納部から退避することを特徴とする請求項１に記載の記録装置。
【請求項３】
前記当接部材の前面部には傾斜面が形成され、この傾斜面の傾斜角度は、当該傾斜面と前記開閉扉との間に前記ロール紙が挟まれた場合に、このロール紙が前記傾斜面を超えて前記収納部に収納される角度に設定されていることを特徴とする請求項１または２に記載の記録装置。
【請求項４】
前記ロール紙が前記当接部材に乗り上げた場合、前記当接部材が前記ロール紙の側端面に当接するように、前記当接部材の上面に第２カムを設けたことを特徴とする請求項１乃至３のいずれかに記載された記録装置。
【発明の詳細な説明】
【技術分野】
【０００１】
本発明は、ロール紙の収納部を有する本体の前面部に下端部がヒンジされて上端部が開放される開閉扉を備える記録装置に関する。
【背景技術】
【０００２】
一般に、ロール紙を収納する収納部と、この収納部内のロール紙の残量を検出するニアエンド検出手段とを備えた記録装置が知られている。この種の記録装置では、ロール紙が小径となったときに位置する溝部が収納部に形成され、ロール紙の残量が一定量以下となった場合に、上記溝部に位置したロール紙の芯管に検出レバーが挿入されることによって、ロール紙の残量がわずかであることを検出していた（例えば、特許文献１参照）。
【特許文献１】特開平０９−２５４４７４号公報
【発明の開示】
【発明が解決しようとする課題】
【０００３】
ところで、近年、製品の小型化を図るために、ロール紙の収納部を有する本体の前面部に下端部がヒンジされて上端部が開放される開閉扉を備えた記録装置が提案されている。しかし、この種の記録装置においては、小型化の観点から収納部に上記溝部が形成されないため、ロール紙が小径となった場合に、このロール紙が収納部内で安定しない。このため、ロール紙の残量が一定量以下となった場合に、このロール紙の芯管に検出レバーを確実に挿入するが難しいといった問題があった。
【０００４】
そこで、本発明の目的は、上述した従来の技術が有する課題を解消し、製品の小型化を図るとともに、ロール紙の残量が一定量以下になったことを容易に検出できる記録装置を提供することにある。
【課題を解決するための手段】
【０００５】
上記課題を解決するため、本発明は、ロール紙の収納部を有する本体の前面部に配置され、下端部を中心に回転される開閉扉と、この開閉扉の上端部に支持されたプラテンと、
当該開閉扉が閉じられたときに前記プラテンに対向する位置になるように、前記本体に支持された記録ヘッドと、前記収納部の前壁部側に下って傾斜している底部と、前記ロール紙の他部の位置を検出して当該ロール紙の残量を判定する残量検出手段とを備えたことを特徴とする。
この構成によれば、紙搬送時にロール紙は、収納部の前壁部に当接されることにより、従来のように、収納部に溝部を設けることなく、ロール紙を当該収納部に安定的に配置できるため、上記溝部を設けない分、記録装置の小型化を図ることができる。さらに、収納部の前壁部にロール紙の一部を当接させ、このロール紙の他部の位置を検出して当該ロール紙の残量を判定することにより、ロール紙のニアエンド検出を容易に行うことができる。
【０００６】
この場合、前記残量検出手段は、前記ロール紙の側端面に当接するもので、当該ロール紙の外径が小さくなった場合に、前記ロール紙の側端面から外れて収納部内に突出する当接部材を備えた構成としてもよい。この構成によれば、ロール紙の芯管にレバーを挿入するものに比べて、ニアエンドの検出を容易に行うことができる。
【０００７】
また、前記当接部材は、前記開閉扉を開く場合、この開閉扉の開動作に応じて収納部から退避する構成としても良い。この構成によれば、開閉扉を開いた場合に、収納部内にニアエンド検出手段の当接部材が突出していないため、ロール紙の交換作業または、ロール紙の出し入れを容易に行うことが可能となる。
【０００８】
また、前記当接部材の前面部には傾斜面が形成され、この傾斜面の傾斜角度は、当該傾斜面と前記開閉扉との間に前記ロール紙が挟まれた場合に、このロール紙が前記傾斜面を超えて前記収納部に収納される角度に設定されている構成としても良い。この構成によれば、開閉扉を閉じる際に、ロール紙が収納部に収納されるよりも前に、当接部材が当該収納部内に突出することにより、当該ロール紙が当接部材と開閉扉との間に挟まれた場合であっても、ロール紙は当接部材の傾斜面上を滑って収納部内に収納される。
【０００９】
また、前記ロール紙が前記収納部内を後方に移動することにより、前記当接部材が前記ロール紙の側端面から外れた場合、前記ロール紙が前記収納部内を前方へ移動する際に、前記当接部材が前記ロール紙の側端面に再び当接するように、前記当接部材の側面に第１カムを設けた構成としても良い。この構成によれば、ロール紙が収納部内を後方に移動することにより、当接部材がロール紙の側端面から外れた場合であっても、ロール紙が収納部内を前方に移動する際に、当接部材の第１カムがロール紙の一端に押しのけられるため、当該当接面はロール紙の側端面に再び当接することが可能となる。
【００１０】
また、前記ロール紙が前記当接部材に乗り上げた場合、前記当接部材が前記ロール紙の側端面に当接するように、前記当接部材の上面に第２カムを設けた構成としてもよい。この構成によれば、開閉扉を閉じる際に、ロール紙がたとえ前記当接部材の上に収納されたとしても、前記ロール紙の自重により前記第２のカムが前記当接部材を収納部内から外部側に退避する方向に押し、当該当接面はロール紙の側端面に当接することが可能となる。
【発明の効果】
【００１１】
本発明によれば、製品の小型化を図るとともに、ロール紙の残量が一定量以下になったことを容易に検出できる。
【発明を実施するための最良の形態】
【００１２】
以下、本発明の一実施形態について図面を参照して説明する。図１は本発明の一実施形態に係るサーマルプリンタの外観を示す斜視図である。図２はプリンタ本体を示す斜視図であり、図３は開閉扉が開いた状態のプリンタ本体を示す斜視図である。図４はプリンタ本体の断面図である。
図１に示すように、サーマルプリンタ（記録装置）１０は、記録装置本体としてのプリンタ本体１１（図２乃至図４）と、このプリンタ本体１１の略全体を覆う外装ケース１２と、この外装ケース１２で覆われないプリンタ本体１１の前面を覆うフロントカバー１３とを備え、このフロントカバー１３の上端部には、このフロントカバー１３の幅方向に延びる排紙口１８が形成されている。外装ケース１２は、プリンタ本体１１の前面の一部、上面、左右面及び背面を覆っており、外装ケース１２の前面には、サーマルプリンタ１０への電源投入を行う電源スイッチ１４と、このサーマルプリンタ１０の動作状態を報知するインジケータ１５と、当該サーマルプリンタ１０内に収納するロール紙１６（図４）を送り出す際に操作される紙送りボタン１７等が設けられている。
【００１３】
フロントカバー１３は、プリンタ本体１１の前面部に下端部がヒンジ連結され、上端部が開放される開閉扉１９（（前壁部）図２乃至図４）に取り付けられている。この開閉扉１９は、外装ケース１２の前面に配置されている操作レバー２０を操作すると、不図示の蓋ロックが解除されて下端部を中心として図２に示す閉状態から、図３に示す開状態まで開くようになっている。開閉扉１９を開くと、図３に示すように、プリンタ本体１１の内部に形成されているロール紙収納部２１の前面側が開放状態となり、ロール紙の交換作業などを行うことができる。ロール紙は、一般的には長尺の被印刷部材（本実施形態では感熱紙）を芯管にロール状に巻きつけて構成されている。
【００１４】
プリンタ本体１１は、図２及び図３に示すように、ベースフレーム２５と、このベースフレーム２５の左右に立設された左サイドフレーム２６及び右サイドフレーム２７と、これら左右のサイドフレーム２６、２７の後側の部位の間にプリンタ幅方向に架け渡されたリアフレーム（不図示）と、当該左右のサイドフレーム２６、２７の上端の間にプリンタ幅方向に水平に架け渡された上フレーム２８とを備える。
また、左右のサイドフレーム２６、２７の間には、ロール紙収納部２１の床面及び背面を形成するロール紙ホルダ２９が掛け渡されるとともに、当該左右のサイドフレーム２６、２７の前端の間に、上記開閉扉１９が支持軸（ヒンジ）３０、３０を中心に回転させて開閉可能に取り付けられている。
【００１５】
この開閉扉１９は、基板３１と、この基板３１の両側から後方に略直角に折れ曲がった側板３２、３２とを備える。基板３１の上部の外側には、可動刃３３を内蔵したオートカッタユニット３４が配置されており、このオートカッタユニット３４の上方には、排紙口１８を挟んで、固定刃３５が設けられている。この固定刃３５は、プリンタ本体１１の上部に設けられた固定刃支持フレーム（不図示）で支持されている。ロール紙１６の先端縁は、可動刃３３と固定刃３５との間を通って排紙口１８に延びており、ロール紙１６を切断する際には、可動刃３３が固定刃３５に向かって上方に遥動し、固定刃３３と協働してロール紙１６を切断する。
【００１６】
開閉扉１９の側板３２、３２の上部には、図３に示すように、プラテンローラ３６が回転自在に掛け渡されている。開閉扉１９を閉じた状態において、このプラテンローラ３６の上方には、図４に示すように、当該プラテンローラ３６に対向する位置に、サーマルヘッド（記録ヘッド）３７が配置されており、このサーマルヘッド３７は、その下面に複数の発熱抵抗体を備えている。ロール紙収納部２１に収納されたロール紙１６は、プラテンローラ３６とサーマルヘッド３７とで挟持され、プラテンローラ３６が不図示のモータによって回転することにより排紙口１８へと送られる。そしてこの場合、プラテンローラ３６とサーマルヘッド３７との間を通過する際に、サーマルヘッド３７が発熱することにより文字や画像がロール紙１６に記録される。サーマルヘッド３７は、上フレーム２の下方に設けられたヘッドフレーム３８に配置されており、このヘッドフレーム３８は、サーマルヘッド３７を支持する略Ｚ字状のヘッド支持フレーム３９と、このヘッド支持フレーム３９にビス３８ａで一体に連結されたばね支持フレーム４０とで構成されている。
【００１７】
ヘッドフレーム３８の下方には、図４に示すように、ロール紙１６をプラテンローラ３６に導く第１紙案内５１が設けられている。この第１紙案内５１は、先端部を上方に湾曲して延びる湾曲部５１ａを備え、この湾曲部５１ａがプラテンローラ３６の後方近傍に配置される。本構成では、ロール紙１６は上記湾曲部５１ａにて上方に屈曲されたのち、プラテンローラ３６に導かれることにより、ロール紙１６の側端面方向から力がかかった場合であっても、この側端面に折れが生じることが防止される。
また、開閉扉１９の内側には、この開閉扉１９の裏面を構成する前板４１が取り付けられている。この前板４１は、後方に傾斜して配置される基板部４１ａと、この基板部４１ａの上端に連なり後方に湾曲した湾曲板部４１ｂとを備え、この湾曲板部４１ｂの上端には、ロール紙１６が減少して紙搬送時に当該ロール紙１６が第１紙案内５１に当接しなくなった場合に当該ロール紙１６に当接して屈曲させる第２紙案内５２が設けられている。この第２紙案内５２は、支軸５３を中心に回動可能に取り付けられており、通常状態では不図示のばね部材によって後方に付勢されている。
【００１８】
ロール紙収納部２１は、上記ロール紙ホルダ２９と、開閉扉１９の前板４１とで囲まれて形成されている。ロール紙ホルダ２９は、わずかに前方に下って傾斜する底板部２９ａと、この底板部２９ａの後端から上方に湾曲して延出する背板部２９ｂとを備える。また、ロール紙収納部２１に収納されたロール紙１６は、排紙口１８を通じて、サーマルプリンタ１０の前方に送り出されるため、ロール紙１６はこの送り出し動作に応じて、当該ロール紙１６の外周面が前板４１に押し付けられるようになっている。このため、本実施形態では、ロール紙１６は、その外径にかかわらずロール紙ホルダ２９の底板部２９ａと開閉扉１９とで支持するように構成されている。
【００１９】
この前板４１の基板部４１ａには、当該基板部４１ａの上下方向の途中（本実施形態では略中央）位置にプリンタ幅方向に延びる第１ローラ４２が設けられ、この第１ローラ４２よりも下方（本実施形態では下端部）の位置にプリンタ幅方向に延びる第２ローラ４３が設けられている。具体的には、前板４１の基板部４１ａには、プリンタの幅方向に沿って、それぞれ開口４４、４５が形成され、これら開口４４、４５の両側面に、上記第１及び第２ローラ４２、４３の軸部が回転可能に取り付けられている。これら第１及び第２のローラ４２、４３は、それぞれ同一径に形成されるとともに、外周面部分は前板４１の基板部４１ａの表面よりも突出している。
【００２０】
第１ローラ４２は、図４に示すように、ロール紙１６の外径が大きい（本実施形態では、ロール紙１６の外径が最大径の約８３ｍｍから約５０ｍｍ程度まで）の場合に、当該ロール紙１６と当接して、このロール紙１６がロール紙収納部２１内で回転する際の抵抗を減少させるものである。これに対して、第２ローラ４３は、ロール紙１６が減少して、このロール紙１６の外径が小さくなった場合に、当該ロール紙１６の外周面と当接することにより、このロール紙１６がロール紙収納部２１内で回転する際の抵抗を減少させるものである。本実施形態では、ロール紙１６の外径が小さくなった場合とは、このロール紙１６の外周面が第１ローラ４２に当接しなくなった場合をいい、具体的には、ロール紙１６の外径が約５０ｍｍを下回った場合をいう。これら第１及び第２ローラ４２、４３によって、ロール紙１６が減少していく過程において、当該ロール紙１６の外径に関わらず、このロール紙１６のスムーズな回転を確保することができる。これら第１及び第２ローラ４２、４３は、ロール紙１６が減少する過程において、少なくとも一方のローラがロール紙１６の外周面に当接することにより、当該ロール紙１６の外周面が開閉扉１９の前板（裏面に相当する）４１に当接しないように配置されている。
【００２１】
ところで、プリンタ本体１１の右サイドフレーム２７には、図５に示すように、上記ロール紙収納部２１内に収納されたロール紙１６の残量が一定値以下となったことを検出するニアエンド検出器６０（ニアエンド検出手段）が設けられている。このニアエンド検出器６０は、紙搬送時にロール紙収納部２１の前壁部としての開閉扉１９の前板４１にロール紙１６の一部を当接させ、このロール紙１６の直径方向における他部の位置を検出して当該ロール紙１６の残量を判定するものである。
このニアエンド検出器６０は、図６及び図７に示すように、右サイドフレームに固定されるフレーム６１と、このフレーム６１に支軸６２を中心に回動自在に取り付けられ、ロール紙収納部内のロール紙の側端面に当接する当接部材６３と、この当接部材６３を付勢する押圧ばね６４（図７）と、上記当接部材６３の回動動作に応じて作動する検出スイッチ６５（図７）とを備える。
【００２２】
当接部材６３は、図８に示すように、この当接部材６３の前面部に形成された傾斜面６３ａと、当該当接部材６３の側面部に形成され、ロール紙の側端面と当接する当接面６３ｂと、当該当接部材６３の後端部に形成され、検出スイッチ６５を作動させる揺動部６３ｃと、上記押圧ばね６４の一端を支持するばね受け部６３ｄとを備える。当接面６３ｂは、前方に向かって当接部材６３の横幅が広がるように傾斜しており、この当接面６３ｂは、後述するように第１カムとして機能する。フレーム６１は、略コ字状に折り曲げられ当接部材６３を支持する支持部６１ａと、この支持部６１ａの一端を略直角に折り曲げて形成され、上記押圧ばね６４の他端を支持するばね受け部６１ｂとを備えて構成されている。
【００２３】
ロール紙１６の外径が大きい場合、図９に示すように、当接部材６３の当接面６３ｂは、ロール紙１６の側端面１６ａに当接している。このため、この当接部材６３の揺動部６３ｃが検出スイッチ６５をたたくことにより、ロール紙ありを判定している。一方、ロール紙１６の外径が小さくなった場合、図１０に示すように、当接部材６３は、押圧ばね６４の力によりロール紙１６の側端面１６ａから外れてロール紙収納部２１内に突出する。この動作の時、当接部材６３揺動部６３ｃは、検出スイッチ６５から離れるため、ロール紙１６の残量が一定量以下にまで少なくなったニアエンド状態を電気信号として検出することができる。
【００２４】
また、本実施形態では、ニアエンド検出器６０は、開閉扉１９を開く場合、この開閉扉１９の開動作に応じて当接部材６３がロール紙収納部２１の外部に退避するように構成されている。具体的には、図３に示すように、プリンタ本体１１の右サイドフレーム２７と開閉扉１９の側板３２とはスライド部材６７によって接続されており、開閉扉１９を開いた場合、図１１に示すように、スライド部材６７が右サイドフレーム２７に沿って前方（図中矢印Ｙ方向）にスライドする。この動作に伴って、スライド部材６７の一端面６７ａが第１カムとしての当接部材６３の当接面６３ｂをロール紙収納部２１の外部に押しのけるため、開閉扉１９を開いた場合、当接部材６３はロール紙収納部２１の外部に退避される。
これによれば、開閉扉１９を開いた場合に、ロール紙収納部２１内にニアエンド検出器６０の当接部材６３が突出していないため、ロール紙１６の交換作業または、ロール紙１６の出し入れを容易に行うことが可能となる。
【００２５】
同様に、ロール紙１６がロール紙収納部２１内を後退することにより、当接部材６３がロール紙１６の側端面１６ａから外れた場合であっても、ロール紙１６がロール紙収納部２１内を前進する際に、当接部材６３の当接面６３ｂがロール紙１６の一端に押しのけられるため、当該当接面６３ｂはロール紙１６の側端面１６ａに再び当接することが可能となる。このため、振動等によって、ロール紙１６がロール紙収納部２１内を移動したとしても、ロール紙１６が所定位置に戻ることにより、ロール紙のニアエンド検出を継続することができる。
なお、当接部材６３の当接面６３ａがロール紙１６の側端面１６ａから外れると、ニアエンド検出が行われるが、本実施形態では、ロール紙１６がロール紙収納部２１内を移動していることも考えられるため、当該ニアエンド信号の入力が所定時間（例えば１０秒間）継続して続いた場合には、ロール紙の残量が一定量以下であるとみなして、その旨を報知する構成とするのが望ましい。
【００２６】
また、本実施形態では、上述のように、開閉扉１９が開いた状態において、当接部材６３はロール紙収納部２１の外部に退避しており、この開閉扉１９の閉動作に伴って当該当接部材６３がロール紙収納部２１内に突出する構成となっている。この場合、開閉扉１９を閉じる際に、ロール紙１６がロール紙収納部２１に収納されるよりも前に、当接部材６３が当該ロール紙収納部２１内に突出することにより、当該ロール紙が当接部材６３と開閉扉１９との間に挟まれることがある。具体的には、ロール紙１６が小径（例えば外径が約５０ｍｍ）であって、第１ローラ４２（図３）に載った状態で開閉扉１９を閉じようとする場合、このロール紙１６がロール紙収納部２１内に転がり入る前に、ニアエンド検出器６０の当接部材６３がロール紙収納部２１内に突出することがあり、この場合には、ロール紙１６が当接部材６３と開閉扉１９の前板４１との間に挟まれるといった事態が考えられる。
しかし、本実施形態では、当接部材６３の前面部には、傾斜面６３ａが形成されている。この傾斜面６３ａの傾斜角度αは、当該当接部材６３の傾斜面６３ａと開閉扉１９の前板４１との間に、上記小径のロール紙１６が挟まれた場合に、このロール紙１６が当該傾斜面６３ａを乗り越え可能な角度に設定されている。
【００２７】
具体的には、図１２に示すように、ロール紙１６を介して当接部材６３の傾斜面６３ａに水平方向に力Ｆが掛かった場合、この力Ｆは、傾斜面６３ａの斜面方向にかかる力Ｆｃｏｓαと、斜面に垂直な方向にかかる力Ｆｓｉｎαとに分解される。この場合、傾斜面６３ａの静止摩擦係数をμとすると、傾斜面６３ａの傾斜角度αは、
Ｆｃｏｓα＞μＦｓｉｎα
の式が成立するような角度に設定されている。すなわち、この傾斜角度αは、
α＜ｔａｎ-1（１／μ）
を充足するような角度に設定されている。
この構成によれば、開閉扉１９を閉じる際に、ロール紙１６がロール紙収納部２１に収納されるよりも前に、当接部材６３が当該ロール紙収納部２１内に突出することにより、当該ロール紙が当接部材６３と開閉扉１９の前板４１との間に挟まれた場合であっても、ロール紙は当接部材６３の傾斜面６３ａ上を滑ってロール紙収納部２１内に収納される。
【００２８】
本実施形態によれば、紙搬送時に開閉扉１９の前板４１にロール紙１６の一部を当接させ、このロール紙１６の他部の位置を検出して当該ロール紙１６の残量を判定するニアエンド検出器６０を備えたため、ロール紙は、上記前板４１に当接されることにより、従来のように、収納部に溝部を設けることなく、ロール紙１６を当該収納部２１に安定的に配置できる。このため、溝部を設けない分、サーマルプリンタ１０の小型化を図ることができるとともに、ロール紙１６のニアエンド検出を容易に行うことができる。
【００２９】
また、本実施形態によれば、ニアエンド検出器６０は、ロール紙１６の側端面１６ａに当接し、当該ロール紙１６が減少してロール紙１６の外径が小さくなった場合に、ロール紙１６の側端面１６ａから外れてロール紙収納部２１内に突出する当接部材６３を備えたため、ロール紙の芯管にレバーを挿入するものに比べて、ロール紙１６のニアエンドの検出を容易に行うことができる。
【００３０】
また、本実施形態によれば、当接部材６３は、開閉扉１９を開く場合、この開閉扉１９の開動作に応じてロール紙収納部２１の外部に退避することため、開閉扉１９を開いた場合に、ロール紙収納部２１内にニアエンド検出器の当接部材６３が突出していないため、ロール紙１６の交換作業または、ロール紙１６の出し入れを容易に行うことができる。
【００３１】
また、本実施形態によれば、当接部材６３の前面部には傾斜面６３ａが形成され、この傾斜面６３ａの傾斜角度αは、当該傾斜面６３ａと開閉扉１９との間にロール紙１６が挟まれた場合に、このロール紙１６が傾斜面６３ａを超えてロール紙収納部２１に収納される角度に設定されているため、開閉扉１９を閉じる際に、ロール紙１６がロール紙収納部２１に収納されるよりも前に、当接部材６３が当該ロール紙収納部２１内に突出することにより、当該ロール紙１６が当接部材６３と開閉扉１９との間に挟まれた場合であっても、ロール紙１６は当接部材６３の傾斜面６３ａ上を滑ってロール紙収納部２１内に収納される。このため、傾斜面６３ａと開閉扉１９との間にロール紙１６が挟まれてロックしてしまう不具合が防止される。
【００３２】
また、本実施形態によれば、ロール紙１６がロール紙収納部２１内を後退することにより、当接部材６３がロール紙１６の側端面１６ａから外れた場合、ロール紙１６がロール紙収納部２１内を前進する際に、当接部材６３がロール紙１６の側端面１６ａに再び当接するように、当接部材６３の側面に第１カム６３ｂを設けたため、振動等によって、ロール紙１６がロール紙収納部２１内を移動したとしても、ロール紙１６が所定位置に戻ることにより、ロール紙のニアエンド検出を継続することができる。
【００３３】
次に、別の実施形態について図１３及び図１４を参照して説明する。
図１３は別の実施形態におけるニアエンド検出器の上面側の斜視図であり、図１４は図１３における当接部材の斜視図である。これらの図に於いては、上記実施の形態と同じもしくは同一の機能を有する部品等には同符号を付し説明を省略する。上記実施の形態と異なる点は、当接部材６３の上面６３ｆに第２カム６３ｅを設けた点である。この第２カム６３ｅは、当接部材６３の傾斜面６３ａを上方に延長した延長部６３ｇの側面に形成されており、この第２カム６３ｅは、上記当接面６３ｂ側に向かって下り勾配を有して構成されている。
開閉扉１９を閉じる際に、ロール紙１６がロール紙収納部２１に収納されるよりも前に、当接部材６３が当該ロール紙収納部２１内に突出する場合があるのは上述のとおりである。この場合、ロール紙１６の外径によっては、開閉扉１９を勢いよく閉じた際に当該ロール紙１６が当接部材６３の上面６３ｆに乗り上げてしまうことが考えられる。
【００３４】
この別の実施形態では、当接部材６３の上面６３ｆには、第２カム６３ｅが形成されているため、この第２カム６３ｅは、ロール紙１６の自重やその重力加速度分によって、当接部材６３をロール紙紙収納部２１の外部に押しのけることにより、ロール紙１６はロール紙ホルダ２９上に移動し、当接面６３ｂがロール紙１６の側端面１６ｂに当接する。従って、ロール紙１６が小さくて開閉扉１９が勢いよく閉じられたときにロール紙１６が当接部材６３に乗り上げたとしても、上記のように第２カム６３ｅにより当接部材６３は所望位置に修正される。このため、ロール紙のニアエンド検出を継続することができる。
尚、この実施形態では、第２カム６３ｅを傾斜面６３ａの延長上に設けた例を示したが、これに限られず上面６３ｆ全体に設けてもよいし、あるいは上面６３ｆにリブ状に設けても構わないものである。
【００３５】
この別の実施形態によれば、ロール紙１６が当接部材６３に乗り上げた場合、この当接部材６３がロール紙１６の側端面１６ａに当接するように、当該当接部材６３の上面６３ｆに第２カム６３ｅを設けたため、上記実施形態の効果に加えて、更に、開閉扉１９が勢いよく閉じられ、ロール紙１６が当接部材６３に乗り上げたとしても、当接部材６３の上面６４ｆに設けられた第２カム６３ｂにより当接部材６４がロール紙１６の自重等により退避する方向に移動し、ロール紙１６はロール紙収納部２１の所定位置に配置される。従って、当接面６３ｂは所定位置のロール紙１６の側端面１６ａに当接することよりニアエンド検出を継続することができる。
【００３６】
以上、一実施形態に基づいて本発明を説明したが、本発明は、これに限定されるものではない。例えば、上記実施形態では、サーマルヘッド３７を有するサーマルプリンタ１０について説明したが、これに限るものではなく、インクジェットプリンタでもドットインパクトプリンタでもよい。
【図面の簡単な説明】
【００３７】
【図１】本発明を適用したサーマルプリンタの外観斜視図である。
【図２】プリンタ本体を示す斜視図である。
【図３】開閉扉が開いた状態のプリンタ本体を示す斜視図である。
【図４】プリンタ本体の断面図である。
【図５】ニアエンド検出器を備えたプリンタ本体の斜視図である。
【図６】ニアエンド検出器の上面側の斜視図である。
【図７】ニアエンド検出器の下面側の斜視図である。
【図８】当接部材の斜視図である。
【図９】ロール紙が大径の場合のプリンタ本体の横断面図である。
【図１０】ロール紙が小径の場合のプリンタ本体の横断面図である。
【図１１】開閉扉が開いた場合の当接部材の動作を説明するための図である。
【図１２】当接部材の傾斜面の角度を説明するための図である。
【図１３】本発明の第２の実施形態におけるニアエンド検出器の上面側の斜視図である。
【図１４】図１３における当接部材の斜視図である。
【符号の説明】
【００３８】
１０…サーマルプリンタ（記録装置）、１１…プリンタ本体（本体）、１６…ロール紙、１６ａ…側端面、１９…開閉扉、２１…ロール紙収納部（収納部）、３６…プラテンローラ、３７…サーマルヘッド（記録ヘッド）、６０…ニアエンド検出器（ニアエンド検出手段）、６３…当接部材、６３ａ…傾斜面、６３ｂ…当接面（第１カム）、６３ｅ…第２カム、６３ｆ…上面
【図１】
0004835137.tif 000002
【図２】
0004835137.tif 000003
【図３】
0004835137.tif 000004
【図４】
0004835137.tif 000005
【図５】
0004835137.tif 000006
【図６】
0004835137.tif 000007
【図７】
0004835137.tif 000008
【図８】
0004835137.tif 000009
【図９】
0004835137.tif 000010
【図１０】
0004835137.tif 000011
【図１１】
0004835137.tif 000012
【図１２】
0004835137.tif 000013
【図１３】
0004835137.tif 000014
【図１４】
0004835137.tif 000015